(57)【要約】【課題】利用者の操作負担を軽減しつつ、利用者に合った負荷の制御を実行できる遠隔監視制御システムを提供する。【解決手段】タッチスイッチ１００はタグ３００から利用者ＩＤを読み取ると（Ｓ１１，Ｓ２１）、読み取ったＩＤに対応する負荷とその制御内容を決定する（Ｓ２２）。そして、決定された負荷とその制御内容とを含む信号をリレー装置８０ａ〜８０ｄに向けて送信する。リレー装置８０ａ〜８０ｄは、この信号に基づいて負荷のＯＮ／ＯＦＦなどを制御する。【選択図】図９
2011071750.tif 000002
【特許請求の範囲】
【請求項１】
負荷を制御するための操作を受け付ける監視制御装置と、前記監視制御装置が受け付けた操作に基づいて負荷を制御する負荷制御装置とを備える遠隔監視制御システムであって、
前記監視制御装置は、
負荷を制御するための１以上のボタンキーを含む操作画面を表示するディスプレイと、
表示されたボタンキーを通じて入力操作を受け付ける入力受付手段と、
利用者ＩＤを読み取る読み取り手段と、
利用者ＩＤ毎に、負荷を識別する負荷識別情報と前記負荷の制御内容を示す制御情報とを対応付けて記憶している記憶手段と、
前記読取手段により利用者ＩＤが読み取られると、前記記憶手段を検索して該当する負荷識別情報と、対応する制御情報とを決定する決定手段とを備え、
前記負荷制御装置は、
前記決定手段が決定した負荷識別情報により識別される負荷を対象として、決定した制御情報の内容に従った制御を行う
ことを特徴とする遠隔監視制御システム。
【請求項２】
前記入力受付手段は、前記ディスプレイに重ねられ、タッチを検出するタッチセンサを含んで構成され、タッチを検出すると、タッチ位置に対応する位置に表示しているボタンキーの入力操作を受け付ける
ことを特徴とする請求項１に記載の遠隔監視制御システム。
【請求項３】
前記読取手段は、電池を有し前記電池から供給された電力により利用者ＩＤを送信するタグから、前記利用者ＩＤを受信する
ことを特徴とする請求項１に記載の遠隔監視制御システム。
【請求項４】
前記読取手段は、アンテナを含み、当該アンテナにかざされた非接触ＩＣカードの電力を誘起させることにより当該非接触ＩＣカードから前記利用者ＩＤを受信する
ことを特徴とする請求項１に記載の遠隔監視制御システム。
【請求項５】
負荷を制御する負荷制御装置と接続され、前記負荷から離れた遠隔地に設置された監視制御装置であって、
負荷を制御するための１以上のボタンキーを含む操作画面を表示するディスプレイと、
前記ディスプレイに重ねられてなり、タッチを検出するタッチセンサを含んで構成され、タッチを検出すると、タッチ位置に対応する位置に表示しているボタンキーの入力操作を受け付けるタッチセンサと、
利用者ＩＤを読み取る読み取り手段と、
利用者ＩＤ毎に、負荷を識別する負荷識別情報と前記負荷の制御内容を示す制御情報と対応付けて記憶している記憶手段と、
前記読取手段により利用者ＩＤが読み取られると、前記記憶手段を検索して該当する負荷識別情報と、対応する制御情報とを決定する決定手段と、
前記決定手段が決定した前記負荷識別情報と対応する制御情報とを前記負荷制御装置へと送信する送信手段と、
を備える
ことを特徴とする監視制御装置。
【発明の詳細な説明】
【技術分野】
【０００１】
本発明は、照明器具などの負荷に対する監視制御を行う遠隔監視制御システムに関する。
【背景技術】
【０００２】
従来の遠隔監視制御システムは、例えば、負荷を制御させるための複数の操作ボタンを有する操作端末器と、負荷の電源スイッチを入切するリレー回路を内蔵する制御端末器と、この操作端末器および制御端末器と信号線により接続された伝送制御装置とを備える（特許文献１）。
このようなシステムにおいては、上記操作端末器の複数の操作ボタンおよび負荷には個別にアドレスが割り当てられている。
【０００３】
そして、操作端末器が操作ボタンの操作を受け付けると、受け付けた操作ボタンに予め割り当てられたアドレスとＯＮ／ＯＦＦなどの負荷の制御内容を含む信号が操作端末器から伝送制御装置を経由して制御端末器へと送信される。この信号が送信された制御端末器側では、信号に含まれるアドレスに一致するアドレスが割り当てられた負荷に対して、信号に含まれる制御内容に従い、電源スイッチの入切などの制御を行う。
【０００４】
特許文献１では、操作端末器として、特にディスプレイとこれに重ねられた透明なタッチセンサとを有する「多機能スイッチ」が例に挙げられている。この多機能スイッチでは、ディスプレイの画面上にそれぞれ負荷に対応する複数の操作ボタンを表示し、画面上のタッチ位置を検出することにより、操作ボタンの入力を受け付ける。
このような多機能スイッチは、画面上に表示する操作ボタンの種類などの表示内容を比較的自由に変更することができることから、多機能スイッチ１台で多様な負荷の操作が可能となる。
【先行技術文献】
【特許文献】
【０００５】
【特許文献１】特開平10-243478号公報
【発明の概要】
【発明が解決しようとする課題】
【０００６】
ところで、上述した遠隔監視制御システムは、例えばオフィスビルにおける照明器具の点灯・消灯の制御に用いられているが、このオフィスビルに出入りする利用者の中には、入室のたびに同じ照明器具を点灯する利用者がいる。そのような利用者は、毎回同じように操作端末器を操作することを面倒に感じていることも考えられる。
本発明は、上述の問題に鑑みてなされたものであって、利用者の操作負担を軽減しつつ、利用者に合った負荷の制御を実行できる遠隔監視制御システムを提供することを目的とする。
【課題を解決するための手段】
【０００７】
本発明に係る遠隔監視制御システムは、負荷を制御するための操作を受け付ける監視制御装置と、前記監視制御装置が受け付けた操作に基づいて負荷を制御する負荷制御装置とを備える遠隔監視制御システムであって、前記監視制御装置は、負荷を制御するための１以上のボタンキーを含む操作画面を表示するディスプレイと、表示されたボタンキーを通じて入力操作を受け付ける入力受付手段と、利用者ＩＤを読み取る読み取り手段と、利用者ＩＤ毎に、負荷を識別する負荷識別情報と前記負荷の制御内容を示す制御情報とを対応付けて記憶している記憶手段と、前記読取手段により利用者ＩＤが読み取られると、前記記憶手段を検索して該当する負荷識別情報と、対応する制御情報とを決定する決定手段とを備え、前記負荷制御装置は、前記決定手段が決定した負荷識別情報により識別される負荷を対象として、決定した制御情報の内容に従った制御を行うことを特徴としている。
【発明の効果】
【０００８】
この構成によれば、送信手段は、利用者ＩＤに対応する負荷宛へと、対応する制御内容を含む伝送信号を送信するため、負荷制御装置において制御内容に基づく制御を行わせることができる。このため、例えば、利用者の利用者ＩＤ毎に予め負荷とその制御内容を設定しておくことで、その利用者に即した負荷の制御の実行が可能となる。
また、前記入力受付手段は、前記ディスプレイに重ねられ、タッチを検出するタッチセンサを含んで構成され、タッチを検出すると、タッチ位置に対応する位置に表示しているボタンキーの入力操作を受け付けるとしても構わない。
【０００９】
また、前記読取手段は、電池を有し前記電池から供給された電力により利用者ＩＤを送信するタグから、前記利用者ＩＤを受信するとしても構わない。
また、前記読取手段は、アンテナを含み、当該アンテナにかざされた非接触ＩＣカードの電力を誘起させることにより当該非接触ＩＣカードから前記利用者ＩＤを受信するとしても構わない。
【００１０】
また、本発明に係る監視制御装置は、負荷を制御する負荷制御装置と接続され、前記負荷から離れた遠隔地に設置された監視制御装置であって、負荷を制御するための１以上のボタンキーを含む操作画面を表示するディスプレイと、前記ディスプレイに重ねられてなり、タッチを検出するタッチセンサを含んで構成され、タッチを検出すると、タッチ位置に対応する位置に表示しているボタンキーの入力操作を受け付けるタッチセンサと、利用者ＩＤを読み取る読み取り手段と、利用者ＩＤ毎に、負荷を識別する負荷識別情報と前記負荷の制御内容を示す制御情報と対応付けて記憶している記憶手段と、前記読取手段により利用者ＩＤが読み取られると、前記記憶手段を検索して該当する負荷識別情報と、対応する制御情報とを決定する決定手段と、前記決定手段が決定した前記負荷識別情報と対応する制御情報とを前記負荷制御装置へと送信する送信手段と、を備えることを特徴としている。
【図面の簡単な説明】
【００１１】
【図１】遠隔監視制御システム１の構成を示す図
【図２】あるオフィスビルのワンフロアを占有するP社のフロア図
【図３】タッチスイッチ１００の機能ブロック図
【図４】ＩＤ−負荷ＤＢ１３０のデータ構成を示す図
【図５】ＩＤ−表示シートＤＢ１４０のデータ構成を示す図
【図６】表示シートＤＢ１５０のデータ構成を示す図
【図７】動作状態テーブル１６０のデータ構成を示す図
【図８】伝送信号の形式を示す図
【図９】タッチスイッチ１００における処理の流れを示すフローチャート
【図１０】タッチスイッチ１００における処理の流れを示すフローチャート
【図１１】（ａ）利用者Ａの携行するタグ３００からタッチスイッチ１００がＩＤを読み取る様子を示す図（ｂ）タッチスイッチ１００の操作画面２００を示す図
【図１２】（ａ）利用者ＩＤ"ID:0001"の読み取り前のフロア図（ｂ）読み取り後のフロア図
【図１３】（ａ）読取部１０２の機能ブロック図（ｂ）タグ３００の機能ブロック図
【図１４】タッチスイッチ１００の模式図
【図１５】部屋Ａの負荷Ｌ４が点灯している様子を示す図
【図１６】男子トイレの負荷Ｌ９，Ｌ１０のセンサ待機モードを説明する図
【発明を実施するための形態】
【００１２】
＜構成＞
以下、図面に基づいて本実施の形態について説明する。
図１に示すように、遠隔監視制御システム１は、伝送制御装置１０、４台のリレー装置８０ａ〜８０ｄ、４台のアナログスイッチ９０ａ〜９０ｄ、タッチスイッチ１００を含んで構成される。
【００１３】
図２は、あるオフィスビルのワンフロアを占有するP社のフロア図であり、このフロアには本実施の形態に係る遠隔監視制御システム１が導入されている。図２に示すように、部屋Ａの天井には負荷Ｌ１〜Ｌ４、出入り口付近の壁面にはこの負荷Ｌ１〜Ｌ４を制御するためのアナログスイッチ９０ａが設置されている。また同様に、部屋Ｂには負荷Ｌ５〜Ｌ８とアナログスイッチ９０ｂが設置されている。また、男子トイレには負荷Ｌ９〜Ｌ１０、女子トイレには負荷Ｌ１１〜Ｌ１２が設置されており、この負荷Ｌ９〜Ｌ１２を制御するためのアナログスイッチ９０ｃが両トイレの出入り口に設置されている。また、廊下には、負荷Ｌ１３〜Ｌ１５と、この負荷Ｌ１３〜Ｌ１５を制御するためのアナログスイッチ９０ｄが設置されている。なお、負荷Ｌ１〜Ｌ１５は照明器具である。
【００１４】
また、廊下には、すべての負荷Ｌ１〜Ｌ１５を制御するためのタッチスイッチ１００が設置されている。
遠隔監視制御システム１の概要としては、次の通りである。
アナログスイッチ９０ａ〜９０ｄ、タッチスイッチ１００および負荷Ｌ１〜Ｌ１５のそれぞれには固有なアドレスが割り当てられている。また各利用者は、それぞれ異なる利用者ＩＤが記録されたタグ３００またはＩＣカード４００を携行しているものとする。
【００１５】
タッチスイッチ１００は、利用者の携行するタグ３００から利用者ＩＤを読み取ると、この利用者ＩＤに基づいて利用者ＩＤに対応する負荷とその負荷の制御内容とを決定する。そして、タッチスイッチ１００は、決定された負荷のアドレスを示しかつ決定された負荷の制御内容を示す信号を送信する。この信号を受信した伝送制御装置１０はリレー装置８０ａ〜８０ｄへと信号を転送し、リレー装置８０ａ〜８０ｄ側では、信号に示されるアドレスに一致するアドレスが割り当てられた負荷に対して、信号に示される制御内容に従った制御を実行する。
【００１６】
また、アナログスイッチ９０ａ〜９０ｄやタッチスイッチ１００がその操作ボタンの入力操作を受け付けた場合も同様に、入力操作を受け付けた操作ボタンに対応する負荷とその制御内容とを特定して、特定された負荷とその制御内容とを含む信号をリレー装置８０ａ〜８０ｄへと送ることで負荷の制御を実行する。
以上が遠隔監視制御システム１の概要である。
【００１７】
＜タッチスイッチ１００＞
タッチスイッチ１００は、監視制御装置の一例である。
図３に示すように、タッチスイッチ１００は、読取部１０２、タッチパネル部１０４、表示制御部１０６、入力受付部１０８、通信部１１０、制御部１１２、記憶部１１６、負荷・制御内容決定部１１８、表示シート決定部１２０、動作状態取得部１２２を備える。
【００１８】
なお、タッチスイッチ１００は動作に比較的大きな電力を要するため、商用電源８（ＡＣ１００Ｖ）を降圧するリモコントランス１０１から供給されているＡＣ２４Ｖの電源を用いる（図１参照）。
読取部１０２は、利用者が携帯するタグ３００（図１参照）やＩＣカード４００から利用者ＩＤを読み取る。タグ３００の通信距離は例えば数ｍ程度である。ＩＣカード４００は非接触ＩＣカードであり通信距離は例えば数ｃｍ程度である。
【００１９】
タッチパネル部１０４は、ディスプレイ１０４ａとディスプレイの画面上に重ねられた透明なタッチセンサ１０４ｂとを含んで構成される。ディスプレイ１０４ａは、例えば液晶方式であり3.5インチの大きさの画面上に各種情報を表示する。タッチセンサ１０４ｂは、例えば抵抗膜方式であり、画面上のタッチ位置を検出する。
表示制御部１０６は、タッチパネル部１０４のディスプレイ１０４ａの画面表示を制御する。入力受付部１０８は、タッチパネル部１０４のタッチセンサ１０４ｂがタッチを検出すると、タッチされた位置にディスプレイ１０４ａが表示していた表示内容（操作ボタンなど）の入力を受け付ける。
【００２０】
通信部１１０は、伝送制御装置１０から送信される伝送信号を受信する。また伝送信号の信号返送期間を利用して、伝送制御装置１０へと各種情報（信号）を送信する。
制御部１１２は、制御プログラムを実行するＣＰＵ、この制御プログラムを格納するＲＯＭや作業領域となるＲＡＭを含んで構成され、各部を制御する。
記憶部１１６は、例えば、データの書き換えが可能なフラッシュメモリから構成され、ＩＤ(identifier)−負荷ＤＢ(Data Base)１３０、ＩＤ−表示シートＤＢ１４０、表示シートＤＢ１５０、動作状態テーブル１６０を記憶する。各ＤＢ１３０，１４０，１５０及びテーブル１６０の詳細については後述する。
【００２１】
負荷・制御内容決定部１１８は、ＩＤ−負荷ＤＢ１３０を参照して（検索して）、読取部１０２が読み取った利用者ＩＤに基づいてその利用者ＩＤに対応する負荷とその負荷の制御内容とを決定する。決定された負荷とその負荷の制御内容とを示す情報は、通信部１１０により伝送制御装置１０を経由して負荷を制御するリレー装置８０ａ〜８０ｄへと送信されることとなる。
【００２２】
表示シート決定部１２０は、ＩＤ−表示シートＤＢ１４０を参照して、読取部１０２が読み取った利用者ＩＤに基づいてその利用者ＩＤに対応する表示シートを決定する。表示制御部１０６は、この決定された表示シートに対応する情報を表示シートＤＢから読み出してタッチパネル部１０４のディスプレイ１０４ａに表示する。
動作状態取得部１２２は、動作状態テーブル１６０から動作状態を取得する。動作状態テーブル１６０の動作状態は、上記表示制御部１０６による画面における動作状態の表示に用いられる。例えば、動作状態ＯＮの負荷を示す操作ボタンを、動作状態ＯＦＦの負荷を示す操作ボタンと比べて、背景色を濃く表示することで、ユーザがひと目で動作状態がわかるようにする。
【００２３】
上記した負荷・制御内容決定部１１８，表示シート決定部１２０，動作状態取得部１２２などのハードウェア構成としては、例えば、ＲＯＭ内に格納された制御プログラムと、この制御プログラムを実行するＣＰＵとを含んで構成される。
なお、動作状態テーブル１６０においては、通信部１１０が定期的に受信する各負荷（負荷Ｌ１〜Ｌ１５）の動作状態（ＯＮ／ＯＦＦの状態など）を示す情報を含む伝送信号に基づいて、制御部（動作状態更新部）１１２により動作状態が更新されている。
【００２４】
図４は、ＩＤ−負荷ＤＢ１３０のデータ構成を示す図である。
ＩＤ−負荷ＤＢ１３０は、利用者ＩＤを示す項目である「ＩＤ」１３２と、「ＩＤ」１３２に示される利用者ＩＤに対応する負荷を識別する情報及びその負荷の制御内容を示す「制御内容」１３４の項目を含む。
例えば、利用者ＩＤ"ID:0001"には、３つの負荷Ｌ４，Ｌ９，Ｌ１０が対応しており、負荷の制御内容はいずれも"ON"（点灯）である。
【００２５】
図５は、ＩＤ−表示シートＤＢ１４０のデータ構成を示す図である。
ＩＤ−表示シートＤＢ１４０は、表示シートを識別する項目である「表示シート名」１４２と、「ＩＤ」１４４の項目を含んでおり、各表示シートごとに対応するＩＤの範囲を紐付ける。例えば、"表示シート１"には、利用者ＩＤ"ID:0001"が対応付けられている。
図６は、表示シートＤＢ１５０のデータ構成を示す図である。
【００２６】
本実施の形態においては、各表示シートは一般的なタブ型であり、複数のタブのうちで選択中である（選択状態である）タブのタブ内容のみを画面に表示させる。タブの個数は３個であり、タブ内容としては、それぞれ最大８個の負荷を示す操作ボタン含む。このため、１つの表示シートあたり最大で３×８＝２４個の操作ボタンが含まれることになる。なお、表示シートのタブの数（３個）やタブあたりの操作ボタンの数（８個）は一例でありこれに限られない。
【００２７】
表示シートＤＢ１５０は、係る表示シートの内容を規定するデータベースであり、「タブ」１５２と、「タブ」１５２に対応する負荷を示す「タブ内容」１５４の項目を含む。
なお、上記ＩＤ−負荷ＤＢ１３０、ＩＤ−表示シートＤＢ１４０、表示シートＤＢ１５０の内容は、遠隔監視制御システム１の管理者などにより予め登録されているものとする。
【００２８】
図７は、動作状態テーブル１６０のデータ構成を示す図である。
動作状態テーブル１６０は、「負荷名」１６２と「状態」１６４の項目を含み、負荷Ｌ１〜Ｌ１５がＯＮ／ＯＦＦいずれの状態にあるかを示すテーブルである。上述のように、通信部１１０が受信する各負荷の動作状態を示す情報を含む伝送信号を受信しており、この伝送信号に基づいて制御部１１２により動作状態テーブル１６０の内容が更新される。
【００２９】
＜伝送制御装置１０＞
伝送制御装置１０は、監視制御システム１を構成する各装置間における信号の伝送を制御する装置であり、各装置に向けて伝送信号を送信する。伝送信号(Ｖｓ)の形式は図８に示すように、信号送出開始を示す同期信号ＳＹ(SYnchronization signal)、伝送信号のモード（制御モード，ダミーモード，監視モード）を示すモードデータＭＤ(Mode Data)、アドレスデータＡＤ(Address Data)、負荷Ｌ１〜Ｌ１５を制御する制御データＣＤ(Control Data)、伝送誤りを検出するためのチェックサムデータＣＳ(CheckSum)、リレー装置８０ａ〜８０ｄ，アナログスイッチ９０ａ〜９０ｄおよびタッチスイッチ１００からの返送信号を受信するタイムスロットである信号返送期間ＷＴ(Waiting Time）より構成される。この伝送信号は±２４Ｖの双極性のパルス幅変調信号が用いられる。
【００３０】
この伝送信号を利用して通信する仕組みについては、特許文献１（特開平10-243478号）などに記載の仕組みと基本的には同様なものであるため簡単な説明に留めるが、概ね次の（１）〜（３）のパターンがある。
（１）伝送制御装置１０からリレー装置８０ａ、アナログスイッチ９０ａ〜９０ｄやタッチスイッチ１００などの装置にデータを伝送する場合には、通信部１１０は、モードデータＭＤを制御モードとし、各装置に割り当てられたアドレスをアドレスデータＡＤとする伝送信号を送出する。アドレスデータＡＤに一致する装置は、伝送信号を受け取り、伝送信号に含まれる制御データＣＤに基づいた制御を行う。
【００３１】
特に、伝送制御装置１０がタッチスイッチ１００の通信部１１０から、負荷とその負荷の制御内容とを示す情報を受信した場合には、モードデータＭＤを制御モードとし、受信した情報に示される負荷のアドレスをアドレスデータＡＤとし、受信した情報に示される制御内容を制御データＣＤとした伝送信号を送出することとなる。
（２）伝送制御装置１０はモードデータＭＤをダミーモードとした伝送信号を定期的（例えば数百ミリ秒おき）に送信している。この伝送信号を利用して、リレー装置８０ａ、アナログスイッチ９０ａ〜９０ｄやタッチスイッチ１００などの装置は、伝送信号の信号返送期間ＷＴにデータを返送することができる。
【００３２】
（３）伝送制御装置１０が負荷Ｌ１〜Ｌ１５などの動作状態を取得する場合には、伝送制御装置１０は取得対象とする負荷のアドレスをアドレスデータＡＤとし、モードデータＭＤを監視データとした伝送信号を送出する。伝送信号のアドレスに対応する負荷を制御するリレー装置（例えば負荷Ｌ１〜Ｌ４を制御する装置はリレー装置８０ａである。）では、この伝送信号の信号返送期間ＷＴに動作状態を含む情報を返送する。
【００３３】
このようにして取得した負荷の動作状態は伝送制御装置１０からタッチスイッチ１００へと定期的に送信されており、上述のようにタッチスイッチ１００の動作状態テーブル１６０に反映される。
＜リレー装置８０ａ〜８０ｄ＞
リレー装置８０ａ〜８０ｄは、負荷制御装置の一例であり、電磁石を用いた各負荷の電源スイッチの入切などの制御を行う。１台のリレー装置あたり最大４台の負荷の電源スイッチが接続されている。
【００３４】
＜アナログスイッチ９０ａ〜９０ｄ＞
アナログスイッチ９０ａ〜９０ｄはそれぞれ壁面に取り付けられた一般的なスイッチである。例えばアナログスイッチ９０ａは、Ｌ１〜Ｌ４の負荷をそれぞれＯＮ／ＯＦＦ制御するための４つの操作ボタン（操作スイッチ）を備え、４つの操作ボタンのそれぞれは、対応する負荷の消灯時に点灯する緑色ＬＥＤや点灯時に点灯する赤色ＬＥＤなども備える。
【００３５】
例えば、アナログスイッチ９０ａにおいて、Ｌ１の負荷を制御するための操作ボタンがＯＮ側に押下されると、アナログスイッチ９０ａから伝送制御装置へと負荷Ｌ１と負荷Ｌ１をＯＮにすべきという制御内容とを含む信号が伝送制御装置１０を経由してリレー装置８０ａへと送信される。そしてリレー装置８０ａにより負荷Ｌ１の電源スイッチが入れられて負荷Ｌ１が点灯する。
＜動作＞
次に動作について説明する。
【００３６】
図９，図１０は、タッチスイッチ１００における処理の流れを示すフローチャートである。
まず、タグ３００からタッチスイッチ１００に向けて利用者ＩＤが送信されると（Ｓ１１）、タッチスイッチ１００の読取部１０２は、利用者ＩＤを読み取る（Ｓ２１）。なお、図１１（ａ）にステップＳ１１，Ｓ２１に対応する利用者ＩＤの読み取りの様子を示している。
【００３７】
そして、負荷・制御内容決定部１１８は、ＩＤ−負荷ＤＢ１３０を参照して読み取られた利用者ＩＤに対応する負荷とその制御内容を決定する（Ｓ２２）。そして、決定された負荷のアドレスを示しかつ決定された負荷の制御内容を示す信号を送信する（Ｓ２３）。送信された信号は伝送制御装置１０を経由して、伝送制御装置から伝送信号としてリレー装置８０ａ〜８０ｄへと送信される。そして対応するアドレスを有する負荷は、リレー装置８０ａ〜８０ｄにより制御内容に従って制御される。
【００３８】
例えばステップＳ２１において受信した利用者ＩＤが"ID:0001"ならば、ステップＳ２３においては、負荷Ｌ４，Ｌ９，Ｌ１０のアドレスを示しかつＯＮという制御内容を含む信号を送信する。送信された信号は伝送制御装置１０を経由して伝送信号としてリレー装置８０ａ〜８０ｄへと送信され、負荷Ｌ４に対応するリレー装置８０ａや負荷Ｌ９，Ｌ１０に対応するリレー装置８０ｃは、制御データＣＤのＯＮという制御内容に従って負荷Ｌ４や負荷Ｌ９，Ｌ１０をＯＮにする。
【００３９】
表示シート決定部１２０は、ＩＤ−表示シートＤＢ１４０を参照して読み取られた利用者ＩＤに対応する表示シートを決定し（Ｓ２４）、決定された表示シート情報を表示シートＤＢ１５０から取得する（読み出す）（Ｓ２５）。例えば、利用者ＩＤが"ID:0001"ならば、ステップＳ２４においては、「表示シート１」を表示シートとして決定し、ステップＳ２５においては「表示シート１」の情報を取得することとなる。
【００４０】
続いて、動作状態取得部１２２は、動作状態テーブル１６０を参照して負荷Ｌ１〜Ｌ１５の動作状態を取得する（Ｓ２６）。ステップＳ２３により負荷Ｌ４，Ｌ９，Ｌ１０が既に点灯済みであれば、これら３つの負荷Ｌ４，Ｌ９，Ｌ１０の動作状態はＯＮとなる。
そして、表示制御部１０６は、ステップＳ２５で取得された表示シートの情報に基づいて、ディスプレイ１０４ａのバックライトを点灯させてその操作画面を表示させる（Ｓ２７）。この操作画面に表示する負荷については、ステップＳ２６で取得した動作状態に基づいて、動作状態をも併せて表示する。
【００４１】
この操作画面の具体例を図１１（ｂ）に示す。操作画面２００は、それぞれ負荷Ｌ１〜Ｌ４，Ｌ９，Ｌ１０，Ｌ１３，Ｌ１４を示す８個の操作ボタン２３１〜２３８を含む。これらの操作ボタン２３１〜２３８は"ID:0001"に対応する「表示シート１」のものである。また、動作状態がＯＮである負荷Ｌ４，Ｌ９，Ｌ１０を示す操作ボタン２３４〜２３６の３つのボタンは背景色が濃い灰色に表示することで、これらの動作状態がＯＮであることを利用者Ａが一目で理解できるようにしている。また、操作画面２００の右端には、タブ間を切り替えるための操作ボタンである「タブ１」２２１，「タブ２」２２２，「タブ３」２２３が表示されている。
【００４２】
この操作画面２００の表示後、入力受付部１０８は、操作ボタン２３１〜２３８の入力を受け付けると（Ｓ２９：Ｙｅｓ）、通信部１１０は入力を受け付けた内容を示す信号（操作ボタンに対応する負荷のアドレスを示す情報とＯＮ／ＯＦＦの制御内容を示す情報とを含む。）を伝送制御装置１０へと送信する（Ｓ３０）。
なお、入力受付部１０８が「タブ１」２２１，「タブ２」２２２，「タブ３」２２３の操作ボタンの入力を受け付けると、表示制御部１０６は、表示シートＤＢ１５０の「表示シート１」の情報を参照して入力を受け付けたタブの内容へと操作ボタンを切り替える。
【００４３】
また、画面表示を開始してから入力がないまま所定時間（例えば15秒程度）経過すると（Ｓ２９：Ｎｏ，Ｓ２８：Ｙｅｓ）、表示制御部１０６は、ディスプレイ１０４ａのバックライトを消灯させ、表示していた画面をＯＦＦにする（Ｓ３１）。
以上説明した本実施の形態によれば、利用者ＩＤに対応する負荷とその制御内容を含む伝送信号を送信するので（Ｓ２２，Ｓ２３など）、利用者Ａの立場からすると、携行するタグ３００の利用者ＩＤ"ID:0001"をタッチスイッチ１００に読み取らせるだけで、利用者Ａが利用する負荷Ｌ４，Ｌ９，Ｌ１０を点灯させることができる。つまり従来のように、アナログスイッチ９０ａ，９０ｃやタッチスイッチ１００などの操作ボタンを操作する手間はなく、ＩＤの読み取りだけで負荷Ｌ４，Ｌ９，Ｌ１０を点灯できることとなる。
【００４４】
また、図１１（ｂ）に示すように、利用者ＩＤ"ID:0001"に対応する「表示シート１」をタッチスイッチ１００の操作画面２００として表示することができる。例えば、"ID:0001"のタグ３００を携行する利用者Ａに関して、予め利用者Ａが頻繁に利用する負荷を「表示シート１」に対応づけて登録しておけば、利用者Ａに操作環境を向上させることができる。
【００４５】
図１２（ａ）に、利用者ＩＤ"ID:0001"の読み取り前のフロア図を示す、図１２（ｂ）に利用者ＩＤ"ID:0001"の読み取り後のフロア図を示す。図１２（ｂ）では読み取り後に点灯された負荷Ｌ４，Ｌ９，Ｌ１０を斜線で示している。
＜補足＞
以上、本発明の実施の形態について説明したが、本発明は上記の内容に限定されず、本発明の目的とそれに関連又は付随する目的を達成するための各種形態においても実施可能であり、例えば、以下であっても構わない。
【００４６】
（１）実施の形態では特に説明しなかったが、タッチスイッチ１００の読取部１０２と、タグ３００の構成の例について以下説明する。図１３（ａ）は、タッチスイッチ１００の読取部１０２の構成を示す機能ブロック図である。読取部１０２は、ＬＦ送受信部１０２１、ＵＨＦ受信部１０２３、ＨＦ送受信部１０２５を有する。
ＬＦ送受信部１０２１は、アンテナ１０２２を用いて定期的に質問信号を送信する。そして、この質問信号を受信したタグ３００から利用者ＩＤを含む応答信号を受信する。
【００４７】
また、タグ３００の電池２０２が消耗している場合の対策として、ＬＦ送受信部１０２１はＬＦ信号により、近接したタグ３００の電力を誘起させてタグ３００から応答信号を受信できるようになっている。
ＵＨＦ受信部１０２３は、アンテナ１０２４を用いてタグ３００から利用者ＩＤを含むＵＨＦ信号を受信する。
【００４８】
ＨＦ送受信部１０２５は、タグ３００との通信ではなくＩＣカード４００との近接非接触通信を担当する。具体的には、アンテナ１０２６を用いて、タッチスイッチ１００にかざされたＩＣカード４００に対して電磁誘導により電力を供給（誘起）する。この供給された電力を利用してＩＣカード４００は、自己の利用者ＩＤをアンテナ（図示しない）を介してＨＦ送受信部１６０に返送し、ＨＦ送受信部１０２５はアンテナ１０２６を用いて返送された利用者ＩＤを受信する。
【００４９】
図１３（ｂ）に示すように、タグ３００は、電池３０２、ＬＦ送受信部３０４、ＵＨＦ送受信部３０６、メモリ３０８、操作ボタン３１０、ＬＥＤ３１２、制御部３１４を備える。
電池３０２は、例えばコイン型リチウムの電池であり各部に電力を供給する。
ＬＦ送受信部３０４はアンテナ３０５を有しており、読取部３０２から質問信号を受信すると、待機状態から起動状態へと移り、起動後の一定期間の間、メモリ３０８に記憶された利用者ＩＤを含む応答信号を送信する。
【００５０】
ＵＨＦ送信部３０６はアンテナ３０７を有しており、操作ボタン３１０の押下に応じて利用者ＩＤを含むＵＨＦ信号を送信する。
（２）実施の形態においては、負荷として照明器具を例に挙げ、制御内容はＯＮかＯＦＦの２値であったが、調光対応の照明器具であれば、調光の割合（例えば、0％〜100％）をＩＤ-負荷ＤＢ１３０に設定する制御内容として含むようにしても構わない。
【００５１】
また、負荷は照明器具に限られず、空調機器など電気信号により制御可能な電気機器であればよい。
なお、負荷が空調機器であれば、ＯＮ／ＯＦＦの制御だけではなく、モード（冷房・暖房・除湿など）や設定温度などをも制御内容として含むことが考えられる。
（３）実施の形態においては特に述べなかったが、タッチスイッチ１００の記憶部１１６は筐体に内蔵するタイプでなくてもよく、例えば、図１４に示すように、タッチスイッチ１００の筐体にＳＤメモリーカード用のスロット１８０を設けて、上記各ＤＢ１３０，１４０，１５０などを記憶するＳＤメモリーカード１８２を着脱できるようにしても構わない。ＳＤメモリーカードは幅広く利用されており、一般的なＰＣ（Personal Computer）もスロットを備えていることが多い。このため、利用者が使い慣れたＰＣにおいて各ＤＢ１３０，１４０，１５０などの情報を予め入力しておき、入力した情報をタッチスイッチで利用する使用形態が考えられる。
【００５２】
また、実施の形態では各ＤＢ１３０，１４０，１５０やテーブル１６０は、タッチスイッチ１００の記憶部１１６に記憶するとして説明したが、これに代えてタッチスイッチ１００以外の外部の記憶装置に記憶させるようにしても構わない。
（４）実施の形態では、遠隔監視制御システム１における装置間の情報の送受は、必ず伝送制御装置１０を介在させるとして説明したが、介在させることは必須ではない。例えば、タッチスイッチからリレー装置へと情報を直接に送信できるようなその他の一般的な通信方式（例えばRS-485通信など）を採用して、タッチスイッチからリレー装置へと、負荷やその負荷の制御内容を示す信号などを直接送るようにしても構わない。
【００５３】
（５）実施の形態では、操作画面２００（図１１（ｂ）参照）で表示する操作ボタン２３１〜２３８と負荷とが一対一で対応している例を説明したが、例えば、１つの操作ボタンに負荷Ｌ１と負荷Ｌ２とを対応付けることで、負荷Ｌ１と負荷Ｌ２とを一括してＯＮ／ＯＦＦするようにしてもよい。このような複数の負荷を同じ制御状態に一括して制御する方式はグループ制御と呼ばれる。
【００５４】
また、１つの操作ボタンに、負荷Ｌ１と負荷Ｌ４をＯＮにし負荷Ｌ２と負荷Ｌ３とはＯＦＦにするように対応付けて、部屋Ａにおける間引き点灯を実現するようにしてもよい。このような複数の負荷を予め設定した制御状態に制御する方式はパターン制御と呼ばれる。
（６）図１５に示すように、利用者Ａが普段使用するデスク２の天井にある負荷Ｌ４などは常時点灯しておくことが望ましいが、男子トイレの天井にある負荷Ｌ９，Ｌ１０などは常時点灯しておく必要性が低い。このため、負荷Ｌ９，Ｌ１０に対する制御内容としては、ＯＮ（点灯）ではなく、センサ待機モード（近くに人がいれば点灯できる待機モード）に移行する旨の内容としてもよい。
【００５５】
このようなセンサ待機モードでは、図１６に示すように、男子トイレの入口に赤外線の遮蔽の有無により物体を検知する赤外線センサ３を設けて、赤外線センサ３が物体（人体）を検出してから一定時間だけ点灯する。こうすることで無駄な点灯を防止できる。
（７）実施の形態では、図１１（ｂ）に示すように、利用者Ａの利用者ＩＤ"ID:0001"向けの操作ボタン１３１〜１３８を含む操作画面２００を表示するとして説明したが、利用者に合った負荷の実行制御という観点からは、利用者ＩＤ毎に負荷を制御するようにすれば足り、個々の利用者ＩＤ向けの画面を表示することは必須ではない。つまり、図９において、ステップＳ２４，Ｓ２５などをスキップして、ステップＳ２７で表示する操作画面は、全利用者ＩＤに共通な画面でもよい。
【００５６】
もっとも、利用者ＩＤ毎に既に負荷の制御を実行した負荷（例えば負荷Ｌ４，Ｌ９，Ｌ１０）については、利用者は動作状態に興味があったり変更したりする可能性が高いので、ステップＳ２７で表示する操作画面には、少なくともこれらの負荷（既に負荷の制御を実行した負荷）を操作するための操作ボタンを含めて表示することが好ましい。
（８）実施の形態では、図４に示すように、ひとつの利用者ＩＤ"ID:0001"に対しては、負荷Ｌ４，Ｌ９，Ｌ１０の３つの負荷の組み合わせの１種類が対応していたが、これに限らず、ひとつの利用者ＩＤに対して複数種類の組み合わせの負荷を用意して時間帯に応じて切り替えるようにしてもよい。例えば利用者ＩＤ"ID:0001"に対して、昼間の時間帯は上と同様にＬ４，Ｌ９，Ｌ１０の３つの負荷を対応させておき、周囲が暗くなる夜間の時間帯には負荷Ｌ１〜Ｌ４，Ｌ９，Ｌ１０，Ｌ１３〜Ｌ１５などと多くの負荷を対応させておくことで、暗くなりがちな夜間において部屋Ａの全体や廊下の負荷を点灯させることができる。
【００５７】
（９）実施の形態では、入力手段としてはタッチパネル部１０４のタッチセンサを例に挙げて説明したが、タッチセンサに限らずキーボードやマウスなど各種入力デバイスを入力手段として採用することもできる。
【符号の説明】
【００５８】
１  遠隔監視制御システム
１０  伝送制御装置
８０ａ〜８０ｄ  リレー装置（負荷制御装置）
９０ａ〜９０ｄ  アナログスイッチ
１００  タッチスイッチ（監視制御装置）
１０２  読取部
１０４  タッチパネル部
１０４ａ  ディスプレイ
１０４ｂ  タッチセンサ
１１６  記憶部
１１８  負荷・制御内容決定部
１３０  ＩＤ-負荷ＤＢ
２００  操作画面
２３１〜２３８  操作ボタン（ボタンキー）
３００  タグ
４００  ＩＣカード（非接触ＩＣカード）
Ｌ１−Ｌ１５  負荷
ＡＤ  アドレスデータ
ＣＤ  制御データ
【図１】
2011071750.tif 000003
【図２】
2011071750.tif 000004
【図３】
2011071750.tif 000005
【図４】
2011071750.tif 000006
【図５】
2011071750.tif 000007
【図６】
2011071750.tif 000008
【図７】
2011071750.tif 000009
【図８】
2011071750.tif 000010
【図９】
2011071750.tif 000011
【図１０】
2011071750.tif 000012
【図１１】
2011071750.tif 000013
【図１２】
2011071750.tif 000014
【図１３】
2011071750.tif 000015
【図１４】
2011071750.tif 000016
【図１５】
2011071750.tif 000017
【図１６】
2011071750.tif 000018